【手続補正書】
【提出日】平成17年3月4日(2005.3.4)
【手続補正１】
【補正対象書類名】明細書
【補正対象項目名】特許請求の範囲
【補正方法】変更
【補正の内容】
【特許請求の範囲】
【請求項１】
平版印刷版の画線部上に塗布定着させて、画線部の修正を行う修正液であって、該修正液がゾルゲル反応性を有する結合剤を含有することを特徴とする平版印刷版用の修正液。
【請求項２】
ゾルゲル反応性を有する結合剤が、金属アルコキシド、アセチルアセトナト錯体、金属酢酸塩、金属シュウ酸塩、金属硝酸塩、金属硫酸塩、金属炭酸塩及び金属オキシ塩化物から選ばれる少なくとも１種であることを特徴とする請求項１記載の修正液。
【請求項３】
修正液がさらに、触媒、水及び有機溶媒を含有することを特徴とする請求項１又は２記載の修正液。
【請求項４】
修正液がさらに、酸化チタン、炭酸カルシウム及び酸化亜鉛から選ばれる少なくとも１種の白色顔料を含有することを特徴とする請求項１〜３のいずれか１項に記載の修正液。
【請求項５】
請求項１〜４のいずれか１項に記載の修正液を平版印刷版の消去すべき画線部上に塗布し乾燥し、該画線部を消去することを特徴とする平版印刷版の修正方法。
【手続補正２】
【補正対象書類名】明細書
【補正対象項目名】０００８
【補正方法】変更
【補正の内容】
【０００８】
【発明が解決しようとする課題】
従って、本発明の第１の課題は、上述したような、新規なＣＴＰシステム技術で作製された平版印刷版の画線部の不要画線部を容易に修正可能でかつ汚れの発生のない修正液を提供することである。
【手続補正３】
【補正対象書類名】明細書
【補正対象項目名】００１０
【補正方法】変更
【補正の内容】
【００１０】
【課題を解決するための手段】
上記第１の課題を達成する本発明は下記（１）〜（４）である。上記第１及び第２の課題を達成する本発明は下記（４）である。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
（４）修正液がさらに、酸化チタン、炭酸カルシウム及び酸化亜鉛から選ばれる少なくとも１種の白色顔料を含有することを特徴とする上記（１）〜（３）のいずれか１項に記載の修正液。
【手続補正７】
【補正対象書類名】明細書
【補正対象項目名】００１７
【補正方法】変更
【補正の内容】
【００１７】
（５）上記（１）〜（４）のいずれか１項に記載の修正液を平版印刷版の消去すべき画線部上に塗布し乾燥し、該画線部を消去することを特徴とする平版印刷版の修正方法。
【手続補正８】
【補正対象書類名】明細書
【補正対象項目名】００１９
【補正方法】変更
【補正の内容】
【００１９】
このような、本発明の修正液（以下、第１の修正液とも言う）は、ゾルゲル反応性を有する結合剤を含有することを特徴とし、また、別の態様の修正液（以下、第２の修正液と言う）は平均粒径１００ｎｍ以下の金属酸化物微粒子及び水溶性結合剤を含有することを特徴とし、更に別の態様の修正液（以下、第３の修正液と言う）は、酸化チタン、炭酸カルシウム及び酸化亜鉛から選ばれる少なくとも１種の白色顔料を含有することを特徴とする。
【手続補正９】
【補正対象書類名】明細書
【補正対象項目名】００２１
【補正方法】変更
【補正の内容】
【００２１】
また、本発明の修正液は、画線部に塗布し定着し、親油性の該画線部を親水性皮膜で被覆することによって修正を行うので、修正の有無が目視で確認しにくいと、同じ個所を修正してしまったり、修正そのものを忘れてしまったりするトラブルが発生するトラブル防止のため、第３の修正液は、特定の白色顔料を含有させることによって修正個所の視認を容易にしたことを特徴とするものである。
【手続補正１０】
【補正対象書類名】明細書
【補正対象項目名】００３５
【補正方法】変更
【補正の内容】
【００３５】
第２の修正液は、平版印刷版の画線部上に塗布定着させて、画線部の修正を行う修正液であって、該修正液が、平均粒径１００ｎｍ以下の金属酸化物微粒子及び水溶性結合剤を含有する。
【手続補正１１】
【補正対象書類名】明細書
【補正対象項目名】００４０
【補正方法】変更
【補正の内容】
【００４０】
第２の修正液に含有させる水溶性結合剤としては、例えば、カゼイン、大豆タンパク、合成タンパク等のタンパク質類、キチン類、澱粉類、ゼラチン類、ポリビニルアルコール、シリル変性ポリビニルアルコール、カチオン変性ポリビニルアルコール、メチルセルロース、カルボキシメチルセルロースやヒドロキシエチルセルロース等のセルロース誘導体、ポリエチレンオキサイド、ポリプロピレンオキサイド、ポリエチレングリコール、ポリビニルエーテル、スチレン−ブタジエン共重合体、メチルメタクリレート−ブタジエン共重合体の共役ジエン系重合体ラテックス、アクリル系重合体ラテックス、ビニル系重合体ラテックス、ポリアクリルアミド、ポリビニルピロリドン等が挙げられる。
【手続補正１２】
【補正対象書類名】明細書
【補正対象項目名】００４３
【補正方法】変更
【補正の内容】
【００４３】
第３の修正液は、平版印刷版の画線部上に塗布定着させて、画線部の修正を行う修正液であって、該修正液が、酸化チタン、炭酸カルシウム及び酸化亜鉛から選ばれる少なくとも１種の白色顔料を含有することを特徴とする。上記白色顔料のうちで特に酸化チタンが好ましい。
【手続補正１３】
【補正対象書類名】明細書
【補正対象項目名】００４７
【補正方法】変更
【補正の内容】
【００４７】
第３の修正液は、第１の修正液及び第２の修正液に含有させる各種成分、及び下記無機粒子等を本発明の効果を阻害しない範囲で含有することができる。
【手続補正１４】
【補正対象書類名】明細書
【補正対象項目名】００５７
【補正方法】変更
【補正の内容】
【００５７】
［修正液の作製］
修正液１（第１の修正液）
テトラエチルシリケート５０                                ５．０ｇ
メタノール                                              １３．０ｇ
８５％リン酸                                              １．６ｇ
蒸留水                                                    ２．０ｇ
上記成分を６０分間攪拌して反応させた後、メタノールシリカゾル（日産化学工業（株）製，粒径１０〜２０ｎｍ、固形分３０質量％）８０ｇを加えることによって修正液１を調製した。
修正液２（第２の修正液）
下記成分を６０分間攪拌し修正液２を調製した。
【手続補正１５】
【補正対象書類名】明細書
【補正対象項目名】００５８
【補正方法】変更
【補正の内容】
【００５８】
ネックレス状コロイダルシリカ  ＳＴ−ＰＳ−ＭＯ
（日産化学工業（株）製、固型分２０質量％）                ４５ｇ
コロイダルシリカ  スノーテックス−ＯＳ
（日産化学工業（株）製、平均粒径８ｎｍ、固形分２０質量％）
４５ｇ
ポリビニルアルコール  ＰＶＡ−１１７
（（株）クラレ製、重合度１７００、鹸化度９８〜９９ｍｏｌ％、
２０質量％水溶液）                                          ９ｇ
メラミン樹脂  スミレーズ６１３
（住友化学工業（株）製、２０質量％水溶液）                  １ｇ
修正液３（第３の修正液）
下記成分を６０分間攪拌し修正液３を調製した。
【手続補正１６】
【補正対象書類名】明細書
【補正対象項目名】００６３
【補正方法】変更
【補正の内容】
【００６３】
表１から、本発明の修正液は汚れ性にすぐれ、かつ修正部の目視視認も可能であることが明らかである。